(57)【要約】【課題】監視される側の校正の進捗状況を直感的にわかりやすくすると共に、監視される側をコントロールすることが可能な遠隔校正システムを提供することを目的とする。【解決手段】遠隔地にある計測機器をインターネットを介して校正するシステムにおいて、前記計測機器からの測定データや状態データを含む情報を、監視する側において画面表示した。【選択図】図１
2010164481.tif 000002
【特許請求の範囲】
【請求項１】
遠隔地にある計測機器をインターネットを介して校正するシステムにおいて、前記計測機器からの測定データや状態データを含む情報を、監視する側において画面表示したことを特徴とする遠隔校正システム。
【請求項２】
前記測定データや状態データを含む情報に基づいて、前記遠隔地にある計測機器を校正することを特徴とする請求項１に記載の遠隔校正システム。
【請求項３】
監視する側において、校正システムのプログラム全般を司る第１制御部と、キー入力による操作や、校正のために予め入力されたプログラムを制御する第１操作制御部と、送信手段を選択する第１通信網選択部と、第１通信部を介して校正される側からの状態データを受信する状態データ受信部と、前記第１通信部を介してコントロールコマンド送信するコントロールコマンド送信部と、
監視される側において、校正システムのプログラム全般を司る第２制御部と、キー入力による操作や、予め入力された複数の自動操作プログラムのメニューを制御する第２操作制御部と、送信手段を選択する第２通信網選択部と、送信すべき測定データを取得する測定データ取得部と、第２通信部を介して監視する側からのコントロールコマンドを受信するコントロールコマンド受信部と、前記第２通信部を介して状態データを送信する状態データを送信部を備えたことを特徴とする遠隔校正システム。
【発明の詳細な説明】
【技術分野】
【０００１】
本発明は、遠隔校正システムに関し、遠隔地に配置された計測器または計測器とコンピュータを組み合わせた計測システムを遠隔地から校正する遠隔校正システムに関するものである。
【背景技術】
【０００２】
例えば国内外に販売された計測器の測定精度を遠隔校正仲介器を用いて校正し、その校正結果を通信網を介して監視するシステムが知られている。
【０００３】
図７はこのような遠隔校正システムの従来例を示すもので、上部の監視される側と下部の監視する側がインターネットを介して接続されている概念を示すものである。
図７において、１は監視される計測システム、２、５は通信網であり、例えばアナログ網、ＩＳＤＮ網、携帯電話網、ＰＨＳ網、ＬＡＮ等の内の一つが用いられる。３、４はプロバイダで、例えばＳＭＴＰサーバとＴＣＰポート２５、ＰＯＰ３サーバとＴＣＰポート１１０の組み合わせが用いられる。６はメールクライアントである。
【０００４】
図７において、監視される計測システム１は、少なくとも一つの被校正器１ａと遠隔校正仲介器１ｂで構成され、これらの機器が配置された環境（大気圧、温度、湿度など）校正のための手順、校正された結果などが通信網２のアナログ網、ＩＳＤＮ網、携帯電話網、ＰＨＳ網およびＬＡＮのいづれかひとつを使用してプロバイダ３に送信する。プロバイダ３は、上述の測定データや状態データの情報（機器が配置された環境、校正手順、校正結果など）をプロバイダ３のＳＭＴＰサーバに送信する。
【０００５】
送信されたメッセージはインターネット７を経由し監視する側のプロバイダ４のＰＯＰ３サーバーとＴＣＰポート１１０の組み合わせやＳＭＴＰサーバとＴＣＰポート２５の組み合わせを用いて配送される。監視する側のメールクライアント６は通信網５のアナログ網、ＩＳＤＮ網、携帯電話網、ＰＨＳ網およびＬＡＮのうちどれかひとつを使用しプロバイダ４に接続し送信されたメッセージを受信する。
【０００６】
図８は監視される計測システムの機能ブロック図である。
図８において、１０は制御部であり、遠隔校正システムのプログラム全般を司る。１２はキー入力（キーイベント）による操作や、予め入力された複数の自動操作プログラムのメニューを制御する部分である。１３は通信回線（アナログ網、ＩＳＤＮ網、携帯電話網、ＰＨＳ網、ＬＡＮ）を選択する部分であり、１４は送信すべき情報（機器が配置された環境、校正結果など）がＡ／Ｄ変換された入力データやＧＰＩＢなどのバスで接続された計測器（図示せず）から測定データを取得するデータ取得部である。
【０００７】
データ取得部１４で取得されたデータは制御部１０によって画像情報に処理された後、表示器１５に表示される。１６は機器の状態（校正の進捗状況）や送信すべき情報を通信部１７で送信する送信データに変換する部分であり、通信部１７は通信網選択部１３で接続された通信網を使用してプロバイダーの各種サービス（例えばＳＭＴＰとＰＯＰ３を使用）にアクセスしデータを送信する。
【先行技術文献】
【特許文献】
【０００８】
【特許文献１】特開２００７−９３３２３
【特許文献２】特開２００７−２６３９７７
【発明の概要】
【発明が解決しようとする課題】
【０００９】
ところで、このような遠隔校正システムは、監視する側はメールを受信するのみのため、監視される側の状態がどういう状態にあるのか直感的にわかりずらい。また、メールを受信するのみで監視される側をコントロールすることはできないという課題があった。
【００１０】
本発明の目的は、監視される側から送信されたデータを監視する側で分析、解析しそれを画像表示することによって、監視される側がどういう状態であるのかを直感的にわかりやすくすると共に、監視される側をコントロールすることが可能な遠隔校正システムを実現することにある。
【課題を解決するための手段】
【００１１】
本発明は上記問題点を解決するためになされたもので、請求項１記載の遠隔校正システムの発明においては、
遠隔地にある計測機器をインターネットを介して校正するシステムにおいて、前記計測機器からの測定データや状態データを含む情報を、監視する側において画面表示したことを特徴とする遠隔校正システム。
【００１２】
請求項２においては、記載の請求項１に記載の遠隔校正システムの発明において、
前記測定データや状態データを含む情報に基づいて、前記遠隔地にある計測機器を校正することを特徴とする。
【００１３】
請求項３においては、
監視する側において、校正システムのプログラム全般を司る第１制御部と、キー入力による操作や、校正のために予め入力されたプログラムを制御する第１操作制御部と、送信手段を選択する第１通信網選択部と、第１通信部を介して校正される側からの状態データを受信する状態データ受信部と、前記第１通信部を介してコントロールコマンド送信するコントロールコマンド送信部と、
監視される側において、校正システムのプログラム全般を司る第２制御部と、キー入力による操作や、予め入力された複数の自動操作プログラムのメニューを制御する第２操作制御部と、送信手段を選択する第２通信網選択部と、送信すべき測定データを取得する測定データ取得部と、第２通信部を介して監視する側からのコントロールコマンドを受信するコントロールコマンド受信部と、前記第２通信部を介して状態データを送信する状態データ送信部を備えたことを特徴とする遠隔校正システム。
【発明の効果】
【００１４】
本発明の請求項１または３によれば、次のような効果がある。
監視される側から送信されたデータを監視する側で分析、解析しそれを画像表示することによって、監視される側の校正の進捗状況を直感的に知ることができる。
【００１５】
請求項２または３によれば、監視する側において、監視される側の計測機器の校正を行うことができる。
【図面の簡単な説明】
【００１６】
【図１】本発明の実施形態の一例を示す監視する側と監視される側の概念を示す図である。
【図２】監視する側の機能ブロック図である。
【図３】監視される側の機能ブロック図である。
【図４】遠隔監視装置の動作イメージを示す図である。
【図５】監視する側の状態データ受信機能とコントロールコマンド送信部のフローチャート（ａ）と、監視される側の状態データ送信部とコントロールコマンド受信部のフローチャート（ｂ）を示す図である。
【図６】本発明の他の実施例を示す監視する側と監視される側の概念を示す図である。
【図７】従来例を示す図である。
【図８】従来の監視される計測システムの機能ブロック図である。
【発明を実施するための形態】
【００１７】
図１は本発明の実施形態の一例を示すもので、監視する側と監視される側の概念を示すものである。図２は監視する側の機能ブロック図を示し、図３は監視される側の機能ブロック図を示している。
【００１８】
これらの図において、従来と違う点は監視する側と監視される側の双方でデータの送受信が可能となっていることと、監視する側の図２の機能ブロックが新規に追加され、監視される側の図３ではコントロールコマンド受信部が追加されていることである。
【００１９】
図２において、コントロールコマンド送信部１８と、状態データ受信部１９と、図３のコントロールコマンド受信部２０により監視される側の校正の進捗状況の直感的把握及びコントロールが可能となる。
【００２０】
図１乃至図３において、監視される計測システム１は通信網２のアナログ網、ＩＳＤＮ網、携帯電話網、ＰＨＳ網およびＬＡＮのうちどれかひとつを使用してプロバイダ３に接続される。監視される計測システム１が測定データや状態データをプロバイダ３のＳＭＴＰサーバに送信する。
【００２１】
送信されたメッセージはインターネット７を経由して監視する側のプロバイダ４のＰＯＰ３サーバーに配送される。監視する側の遠隔監視装置８は通信網２のアナログ網、ＩＳＤＮ網、携帯電話網、ＰＨＳ網およびＬＡＮのうちどれかひとつを使用してプロバイダ４に接続しメッセージ（測定データや状態データ）を受信する。
【００２２】
遠隔監視装置８は受信したメッセージを分析・解析し、その結果、測定データであれば、遠隔監視装置のあらかじめ決められたグラフ表示領域をその測定データで更新し、機器の設置状況を示す画像データであれば、その画像データを表示し、校正手順を示すメッセージ（例えば、ステップ３の１を終了した）であれば、遠隔監視装置８に表示されている該当手順項目をチェックマークを付け実施済みに変更し、次の校正手順に進むための承認を求めるためのメッセージであれば、承認を与えるコントロールコマンド（例えば、パスワードなど）を送信することができる画面を表示する。
【００２３】
また、監視される側の計測システム１を監視する側からコントロールしたい場合には、遠隔監視装置８がコントロールコマンド送信部１８（図２参照）からコマンド（例えば、校正条件の設定、次の校正手順に進む承認パスワード及び校正の開始コマンドなど）をプロバイダ４のＳＭＴＰサーバに送信する。送信されたコマンド（メッセージ）はプロバイダ３のＰＯＰ３サーバーに配送される。
【００２４】
監視される側の計測システム１はいずれかの通信網に接続しメッセージを受信し、分析・解析し、そこにかかれたコマンドを実行する。
図４（ａ〜ｄ）はこのような計測システム１と遠隔監視装置の動作イメージを示す図である。
図４（ａ）において、当初監視する側とされる側の表示画面はＷａｔｔｉｎｇの状態となっている。
【００２５】
この状態で監視する側のＳｔａｒｔボタンを押して監視される側に校正を開始するコントロールコマンドのメール送信を行う。
その結果、図４（ｂ）に示すように、監視される側がＲｕｎｎｉｎｇ状態に変化し、変化した旨のメールを監視する側に送信する。
【００２６】
その結果、図４（ｃ）に示すように、監視する側がＲｕｎｎｉｎｇ状態となり、監視される側から監視する側にデータ（波形）のメールが送信される。
最後に、図４（ｄ）に示すように、監視される側から送られたデータ（波形）を監視する側で連続的に受信する。
【００２７】
図２に戻り、制御部１０はプログラム全般を司る。１２はキー入力（キーイベント）による操作や、予め入力された複数の自動操作プログラムのメニューを制御する部分である。１３は通信網（アナログ網、ＩＳＤＮ網、携帯電話網、ＰＨＳ網、ＬＡＮ）を選択する部分であり、１８はコントロールコマンドを通信部１７を介して送信する送信データに変換する部分であり、１９は通信部１７で受信した状態データを分析、解析する部分である。
【００２８】
状態データ受信部１９で分析、解析された結果は制御部１０によって処理された後、表示部１５に表示される。通信部１７は通信網選択部１３で接続された通信網を使用してプロバイダーの各種サービス（具体例ではＳＭＴＰとＰＯＰ３を使用）にアクセスしデータを送受信する部分である。
【００２９】
図３に戻り、コントロールコマンド受信部２０は第２通信部１７ｂで受信したコントロールコマンドを分析、解析する部分である。コントロールコマンド受信部２０で分析、解析された結果は第２制御部１０ｂによって処理された後、表示器１５に表示される。
【００３０】
図５（ａ，ｂ）は監視する側の状態データ受信機能とコントロールコマンド送信部のフローチャート（ａ）と、監視される側の状態データ送信部とコントロールコマンド受信部のフローチャート（ｂ）を示すものである。
【００３１】
監視する側（ａ）において、スタート後、（イ）において、コマンド送信を行うか否かを判断する。Ｙｅｓであれば（ロ）に進みコマンドを送信し、（ハ）に進んで状態データを受信するか否かを判断する。Ｎｏであれば直接（ハ）に進み状態データを受信するか否かを判断する。
【００３２】
（ハ）において、Ｎｏであれば（イ）に戻ってコマンド送信を行うか否かを判断する。
Ｙｅｓであれば（ニ）に進み状態データ分析／解析を行い、（ホ）に進んで、状態変更を行って（イ）に戻りコマンド送信を行うか否かを判断する。
【００３３】
監視される側（ｂ）においては、スタート後、（イ）において、状態変更がなされたか否かを判断する。Ｙｅｓであれば、状態データの送信を行ない（ハ）に進んでコマンド受信を行うか否かを判断する。
【００３４】
（イ）において、Ｎｏであれば直接（ハ）に進んでコマンド受信を行うか否かを判断する。（ハ）においてＹｅｓであれば、（ニ）に進んでコマンドを解析し、（ホ）に進んでコマンドを実行する。（ハ）において、Ｎｏであれば（イ）に戻って状態変更がなされたか否かを判断する。（ホ）においてコマンドを実行したら（イ）に戻って状態変更がなされたか否かを判断する。
【００３５】
図６はＦＴＰを通信部のサービスとした場合の監視する側と監視される側の動作イメージ図である。図１に示す実施例ではＳＭＴＰやＰＯＰ３などのプロトコルを用いているが、図２，３に示す各機能ブロックの通信部１７でサポートするサービスをＦＴＰなどの別のサービスに置き換えても本発明を実施することができる。
【００３６】
なお、図６に示すＦＴＰサーバは監視する側か監視される側のどちらかにあってもよい。
本発明によれば、コントロールコマンド送受信、状態データの送受信の仕組みを利用して計測システムの故障診断や仕様変更（具体的には単位など）などを実行することができる。
【００３７】
なお、以上の説明は、本発明の説明および例示を目的として特定の好適な実施例を示したに過ぎない。
従って本発明は、上記実施例に限定されることなく、その本質から逸脱しない範囲で更に多くの変更、変形を含むものである。
【符号の説明】
【００３８】
１      監視される計測システム
２，５  通信網
３，４  プロバイダ
７      インターネット
１０    制御部
１２    操作制御部
１３    通信網選択部
１４    測定データ取得部
１５    表示部
１６    状態データ送信部
１７    通信部
１８    コントロールコマンド送信部
１９    送信データ受信部
２０    コントロールコマンド受信部
【図２】
2010164481.tif 000003
【図３】
2010164481.tif 000004
【図４】
2010164481.tif 000005
【図５】
2010164481.tif 000006
【図８】
2010164481.tif 000007
【図１】
2010164481.tif 000008
【図６】
2010164481.tif 000009
【図７】
2010164481.tif 000010